(57)【要約】【課題】圧力変動に伴う水位変動を少なくして、集塵性能を安定させる。【解決手段】含塵気体Ｄを導入する吸入室２と、集塵処理した気体Ｃを排出する排出室４を連結部３で接続し、それぞれ下方に吸入側水槽部５、排出側水槽部６を設けて両者を連通する。上方に排出室４と接続した制御室８を、下方に溢流槽９を有する水位制御部１０を設け、溢流槽９に設けた通水管１１の先端を水槽部５で所定水位に上向き開放する。含塵気体Ｄは、排出室４の負圧により吸入室２から連結部３を通過し、水槽部５の水を霧化することにより粉塵が吸湿して排出室４でその粉塵を分離する。このとき、水槽部６水位が上昇すると溢流槽９がオーバーフローし、通水管１１の水が排水してその水位上昇を規制し、水槽部５の水位が下がって前記先端位置になると、通水管１１に水が流入しないので、通水管１１の水位のみが下がり、水槽部５の水位は所定水位に維持されるので集塵性能が安定する。【選択図】  図１
2004305866.tif 000002
【特許請求の範囲】
【請求項１】
吸入室２と排出室４とを連結部３で接続し、その吸入室２及び排出室４の下方に、それぞれ吸入側水槽部５及び排出側水槽部６を設けて、両者に滞水させて連通し、排出室４に接続した制御室８を上方に、排出側水槽部６と連通した溢流槽９を下方に有する水位制御部１０を設けて、その溢流槽９の水がオーバーフローすることにより、排出側水槽部６の水位上昇を規制し、
前記排出室４内の気体を外部へ排出することにより、排出室４内の気圧が低下して、前記吸入側水槽部５の水位を所定位置とするとともに、前記吸入室２に導入された含塵気体Ｄが、水を巻き上げて霧化しながら連結部３を通過して排出室４へ流入し、前記霧化により吸湿した粉塵を前記含塵気体Ｄから分離させる湿式集塵装置において、
前記溢流槽９に通水管１１を設け、その通水管１１は、前記溢流槽９と排出側水槽部６との連通に代えて、溢流槽９と吸入側水槽部５とを連通してその先端を前記所定位置に上向き開放したものであり、前記気体の排出状態で、排出側水槽部６の水位は、前記溢流槽９からのオーバーフローにより通水管１１内の水が排水されてその上昇が規制され、前記吸入側水槽部５の水位は、前記通水管１１先端位置またはその上方に維持されるようにしたことを特徴とする湿式集塵装置。
【請求項２】
両側及び／又は両端、並びに上方を閉塞して下方を開口した隔壁Ｗを前記排出室４内に設け、その下方の開口を前記排出側水槽部６の滞水部に伏せることにより、隔壁Ｗ内に空間部を形成するとともに、その空間部内に含塵気体Ｄを導入する導入口１２を設けて吸入室２とし、その吸入室２下方の滞水部を吸入側水槽部５として、前記開口でもって吸入側水槽部５と排出側水槽部６とを連通し、前記気体の排出状態で、前記連結部３は、吸入側水槽部５の水位又はその上方と、排出側水槽部６の水位上方とを屈曲して接続することを特徴とする請求項１に記載の湿式集塵装置。
【発明の詳細な説明】
【０００１】
【発明の属する技術分野】
この発明は、工場等で発生する粉塵を除去するために、含塵気体と湿気とを混合することにより粉塵を吸湿させ、その粉塵を吸湿状態で分離して取り除く湿式集塵装置に関するものである。
【０００２】
【従来の技術】
従来の湿式集塵装置は、例えば、図３乃至図６に示すロートクロン型のものがあり、この湿式集塵装置１は、工場等で発生する粉塵を除去するために配置され、含塵気体Ｄを、装置内において霧化した水に触れさせることにより、その粉塵を吸湿させて除去するものである。
【０００３】
その装置の構成は、含塵気体Ｄを導入する吸入室２と、集塵処理した気体Ｃを外部へ排出する排出室４とを、図３に示すような屈曲した細い通路からなる連結部３で接続し、気体が連結部３を通過する際に、その下方に滞水した水を巻き上げて霧化するようになっている。
【０００４】
吸入室２は、図３に示すように、両側、両端、上方を閉塞して下方を開口した隔壁Ｗを排出室４内に設け、その開口を、排出室４下方に滞水させて設けた排出側水槽部６の滞水部に伏せて、隔壁Ｗ内に空間部を形成したものである。このとき、側壁又は端壁として隔壁Ｗを使用せず、その代わりに排出室４の側壁又は端壁を用いて、前記空間部を形成してもよい。
【０００５】
この空間部からなる吸入室２内に、図３に示す矢印ａのように、含塵気体Ｄを導入する導入口１２を設け、その吸入室２下方の滞水部を吸入側水槽部５として、前記開口でもって吸入側水槽部５と排出側水槽部６とを連通する。
【０００６】
図４に示すブロアＢを作動させることにより、この排出室４に設けた排出口１５に接続されたダクト７ａを介して、前記排出室４内の気体を外部へ排出すると、排出室４内の気圧が低下して、排出室４は吸入室２に対して負圧となる。この負圧の度合を調整することにより、前記排出側水槽部６の水位が、図５に鎖線で示す停止水位から上昇し、また、前記吸入側水槽部５の水位が、同じく鎖線で示す停止水位から低下し、それぞれ実線で示す位置となる。
【０００７】
この気体の排出状態において、前記連結部３は、この図５の実線で示す水位、つまり、前記吸入側水槽部５の水位が低下した状態の水位、又はその上方に位置する部分と、前記排出側水槽部６の水位が上昇した状態の水位の上方に位置する部分とを屈曲して接続しているので、前記連結部３は、各水槽部５，６の水面付近あるいはその水面上近傍において、吸入室２及び排出室４にそれぞれ開口した状態となる。
【０００８】
このため、気体の排出を続けると、前記吸入室２に導入された含塵気体Ｄが、図５に矢印ｂで示すように、前記連結部３に流入する。このとき、連結部３の通路が細くなっており、その連結部３の入口下面付近に吸入側水槽部５の水面があるため、気体Ｄは速度を増してこの連結部３を通過するとともに、水を巻き上げて、その巻き上げた水を霧化しながら前記吸入室２から排出室４へ流入する。
【０００９】
この巻き上げは、前記吸入側水槽部５の水位が、適切に霧化が行われる所定の位置（図５で実線で示す、水位が低下した状態の水位）に維持する限りにおいて行われれ、所定位置から遠ざかれば霧化が行われにくくなる。
【００１０】
前記霧化により粉塵が吸湿し、この連結部３、及び排出室４において、吸湿により重量を増した粉塵の一部が水槽部５，６に落下するとともに、気体Ｄは、図５の矢印ｃのごとく上昇する。この上昇の間に、残る粉塵は、前記連結部３内の内壁や、排出室４内に設けたフィン１４等に衝突し、この衝突により粉塵は前記気体Ｄと分離され、前記両水槽部５，６に落下して水中に集塵される。
【００１１】
集塵処理により浄化された気体Ｃは、排出室４の排出口１５から、図３に示す矢印ｄのごとくダクト７ａに流入し、図４に示す煙突状の排出装置７ｂを通じて排出される。
【００１２】
このとき、集塵装置１には、図４及び図５に示す水位制御部１０が設けられており（図３には図示せず）、その水位制御部１０は、その制御室８を上方に、溢流槽９を下方に有している。制御室８は前記排出室４に接続されており、溢流槽９は排出側水槽部６に連通しており、この排出側水槽部６の水位が一定高さ以上になると、その溢流槽９に上向き開口して設けた排水管１０ａの先端縁から、溢流槽の水がオーバーフローし、その排水管１０ａからの排水により、水位制御部１０及び排出側水槽部６の水位を、一定高さより上昇しないように規制する。この一定高さを、前記連結部３の排出室４側出口よりも下方にして、排出室４側から前記連結部３に水が入らないようにしているので、連結部３において前記霧化が安定的に行われる。
【００１３】
【発明が解決しようとする課題】
しかし、この湿式集塵装置１では、ブロアＢによる気体の排出量を増やし過ぎると、排出室４の気圧低下により、図６に示すように、排出側水槽部６の水位が上昇するとともに、前記溢流槽９からオーバーフローが続き、吸入側水槽部５の水位は大きく低下する。このように水位が低下した場合、連結部３への入口高さと水槽部５の水面との間に距離ｅが発生するので、逆に霧化が減少して、集塵性能が落ちる問題がある。このため、吸入側水槽部５の水位を、前記霧化に妨げのない所定水位に維持し得る範囲において、排出室４からの気体の排出量には上限がある。
【００１４】
また、前記ブロアＢを始動させた際、あるいはその排出量を増減させた際に、排出室４内の圧力が変動すると、両水槽部５，６の水位が大きく乱れて安定せず、連結部３において霧化が成されない状態が継続する。
【００１５】
このため、始動後や排出量調整後は、含塵気体Ｄが吸湿せずに未処理のまま排出されることがあるので、集塵装置１は、それを避けるために定常的に運転を継続しておかなければならない。
【００１６】
そこで、この発明は、集塵容量を大きくするとともに、圧力変動に伴う水位変動を少なくして、始動、排出量調整後の集塵性能を早期に安定させることを課題とする。
【００１７】
【課題を解決するための手段】
上記の課題を解決するために、この発明は、図３及び図４に示す前記湿式集塵装置において、前記水位制御部に通水管を設け、その通水管の先端を、前記吸入側水槽部において所定の水位位置に上向き開放することにより、前記水位制御部の溢流槽と排出側水槽部との連通に代えて、溢流槽と吸入側水槽部とを連通させたのである。
【００１８】
排出室からの気体の排出量を増やし、排出室の気圧を下げると、前記溢流槽の水位が上昇してオーバーフローするとともに、前記通水管を介してその管内の水が排水され、その通水管には吸入側水槽部の水が適宜流入する。このとき、通水管は上向き開口しているので、吸入側水槽部の水位が通水管先端位置まで低下すると、吸入側水槽部の水がそれ以上通水管に流入しなくなる。このため、その後は、通水管内の水位のみが低下し、吸入側水槽部の水位はその先端位置で維持される。このようにすれば、霧化に支障のない通水管内の水位のみが低下するので、集塵性能を落とすことなく排出量を増やすことができる。
【００１９】
装置の具体的構成としては、吸入室と排出室とを連結部で接続し、その吸入室及び排出室の下方に、それぞれ吸入側水槽部及び排出側水槽部を設けて、両者に滞水させて連通する。また、上方に制御室を、下方に溢流槽を有する水位制御部を設けて、前記制御室を排出室に接続し、また、前記溢流槽に通水管を設け、その通水管は、前記溢流槽と吸入側水槽部とを連通してその先端を所定位置に上向き開放する。
【００２０】
この装置を始動して、前記排出室内の気体を外部へ排出することにより、排出室内の気圧が低下し、前記吸入側水槽部の水位を低下させて前記所定位置とするとともに、前記吸入室に導入された含塵気体が、水を巻き上げて霧化しながら連結部を通過して排出室へ流入する。
【００２１】
このとき、排出室内の気圧の変動により、前記排出側水槽部の水位がさらに上昇すると、溢流槽の水がオーバーフローして排出側水槽部の水位上昇が規制される。また、前記吸入側水槽部の水位は、前記溢流槽からのオーバーフローにより通水管内の水が排水されることにより、その通水管に吸入側水槽部の水が流入して低下し、その水位が通水管先端位置になると、それ以上通水管に流入しなくなる。
【００２２】
このため、装置の始動後、吸入側水槽部の水位が、前記先端位置またはその上方に維持されてそれ以上低下しないので、霧化に適切な所定水位に早期に安定する。また、吸入側水槽部の水位が安定するまでの時間が短いため、水位制御部からの排水量を少なくできる。
【００２３】
また、排出量を増減するために前記排出室の気圧調整を行った際にも、水位が早期に安定するので、排出量調整や、始動、停止を頻繁に繰り返して間歇運転を行うことができ、効率的である。
【００２４】
上記の構成において、両側及び／又は両端、並びに上方を閉塞して下方を開口した隔壁を前記排出室内に設け、その下方の開口を前記排出側水槽部の滞水部に伏せて隔壁内に空間部を形成し、この空間部内に含塵気体を導入する導入口を設けて吸入室とした構成も採用し得る。この隔壁の両側又は両端のいずれかの部分において、隔壁により閉塞していない部分がある場合は、その部分を排出室の両側壁又は両端壁により閉塞してもよい。
【００２５】
前記吸入室２下方の滞水部を吸入側水槽部として、前記開口でもって吸入側水槽部と排出側水槽部とを連通し、前記連結部は、吸入側水槽部の前記所定位置又はその上方と、排出側水槽部の前記規制水位上方とを屈曲して接続する。
【００２６】
このようにすれば、吸入室は、前記隔壁を介してその両側及び／又は両端で排出室と隣接し、また、その隣接する水平方向の延長を長くできるので、前記連結部の通路の断面積を水平方向に広くとることができる。このため、連結部を通過する気体の容量を増やして、集塵の処理量を大きくできる。
【００２７】
【発明の実施の形態】
一実施形態を図１、及び、図２ａ乃至図２ｄに示し、この実施形態の湿式集塵装置は、工場等で発生する粉塵を除去するために配置されるロートクロン型の湿式集塵装置２０である。
【００２８】
この湿式集塵装置２０は、図１に示すように、含塵気体Ｄを導入する吸入室２と、集塵処理した気体Ｃを外部へ排出する排出室４とを、図１に示すような屈曲した細い通路を有する連結部３で接続し、その吸入室２及び排出室４の下方にそれぞれ、吸入側水槽部５及び排出側水槽部６を設けたものである。
【００２９】
前記吸入室２、排出室４、吸入側水槽部５及び排出側水槽部６は、図３及び図４に示す従来例の集塵装置１と同様に、この集塵装置２０本体を成す筒状の胴部４ａと、その軸方向（図１の断面の奥行き方向）両端を妻部４ｂで閉塞して密閉された空間部内に設けられ、この空間部は、前記軸方向に必要な長さで設けられる。
【００３０】
前記胴部４ａと妻部４ｂで囲まれた空間部の下部を滞水させて排出側水槽部６とし、その水面から上方の空間部を排出室４とする。
【００３１】
吸入室２は、図１に示すように、両側、上方を閉塞し、両端、下方を開口した隔壁Ｗを前記排出室４内に配置することにより設けられ、その隔壁Ｗの前記下方開口を、図中に鎖線で示す前記排出側水槽部６滞水部の停止水位水面に伏せる。前記両端開口は、それぞれ排出室４の両端壁を構成する前記両端妻部４ｂに当接させて開口を閉塞し、その状態で隔壁Ｗを妻部４ｂに固定する。このようにして、隔壁Ｗ、妻部４ｂ、及び前記滞水部水面で囲まれた密閉空間を設けて吸入室２としている。
【００３２】
なお、この隔壁Ｗは、この実施形態のように両端開口せずに、両端あるいは一端にも隔壁Ｗを設けた構成も採用し得る。例えば、両側、両端と上方とを閉塞した隔壁Ｗ、あるいは、両側、両端のうち３方と上方とを閉塞した構成などとした構成が考えられる。この場合、隔壁Ｗの閉塞していない部分は、排出室４の両側壁を構成する前記胴部４ａの側面、あるいは同じく両端壁を構成する前記妻部４ｂにより閉塞して、密閉空間を形成すればよい。
【００３３】
すなわち、両側及び／又は両端、並びに上方を閉塞して下方を開口した隔壁Ｗを前記排出室４内に設け、その下方の開口を前記排出側水槽部６の滞水部に伏せることにより、隔壁Ｗ内に空間部を形成するものである。このとき、隔壁Ｗによって閉塞していない部分があるときは、その部分は、前記排出室４の側壁又は端壁によって閉塞される。
【００３４】
この吸入室２を成す空間の下方で、前記隔壁Ｗに囲まれた部分、つまり滞水部の水面下に没した部分を吸入側水槽部５とし、その吸入側水槽部５は、前記隔壁Ｗの下方開口でもって、さらにその下に位置する前記排出側水槽部６と連通する。
【００３５】
前記連結部３は、この吸入室２と排出室４とを隔てる隔壁Ｗの下端部を開口して設けられ、前記吸入室２は、その両側において連結部３を介して排出室４と接続される。
【００３６】
この吸入室２及び排出室４は、前記の断面を成す態様で、図３に示すように、その断面に対する装置の前記軸方向に必要な長さで形成されて、連結部３もその軸方向全長にわたって連続的に設けられる。図４に示すように、吸入室２の一方の端部には、含塵気体Ｄを吸入室２内に導入するための導入口１２が設けられ、工場内等で発生した粉塵を含んだ気体を、集塵装置２０内に誘導するようになっている。また、排出室４の一方の端部、または天井部には排出口１５が設けられ、その排出口１５にダクト７ａが連結されて、ブロワＢにより排出室４内の気体が吸引される。
【００３７】
この集塵装置２０に、排出側水槽部６の水位上昇を規制する水位制御部１０を設け、その水位制御部１０は、前記排出室４と接続管を介して接続した制御室８と、その制御室８の下方に位置する溢流槽９、及び排水管１０ａとからなる。この溢流槽９に、通水管１１を設け、その通水管１１は、前記溢流槽９と吸入側水槽部５とを連通してその先端を、図１に実線で示す、前記連結部３の吸入室２側入口３ａの下面高さ付近の所定位置に上向き開放する。
【００３８】
この所定位置とは、後述する集塵作用において、吸入室２から連結部３へ流入する気体が、その風圧による局所的な気圧低下等により、入口３ａ付近の水面の水を巻き上げて霧化するために有効な範囲の水位位置をいい、この所定位置に水面がある状態において、前記入口３ａが水面上に僅かに開口している状態の位置が望ましい。開口量が小さいと、この部分を通過する際の気体の流速が増し、水の巻き上げが効率的に行われるからである。
【００３９】
この溢流槽９に滞水した水の水面は、前記排出室４と同気圧となる制御室８に面しているので、溢流槽９の水位は、前記排出側水槽部６の水位に合わせて変動し、その水位が一定高さ以上になると、図１に示すように、溢流槽９に上方開口して設けた排水管１０ａの先端縁からオーバーフローして、それ以上水位が上昇しないようになっている。
【００４０】
前記両水槽部５，６の水位は、装置の停止時には、図２（ａ）に示す停止水位にあって、ブロアＢを作動させ、排出室４の気体を外部へ排出することにより、排出室４内の気圧が下がって、排出室４は吸入室２に対して負圧となり、図２（ｂ）に実線で示すように、前記排出側水槽部６の水位が上昇し、逆に前記吸入側水槽部５の水位が低下する。
【００４１】
ブロアＢによる気体の排出量を調整することにより、吸入側水槽部５の水位を、図２（ｃ）に実線で示す、前記連結部３の吸入室２側入口３ａの下面高さ付近の所定位置で維持させる。その状態で前記ブロアＢによる排出量を安定させれば、前記導入口１２から導入された含塵気体Ｄが、図１の矢印ｂのように吸入室２から連結部３を通過して、排出室４へ流入する。
【００４２】
このとき、連結部３は、吸入室２側の空間からその入口３ａ下面付近にある水面上に係る部分にかけて、通路が急激に狭くなる。このため、前述のように、その部分を通過する際に気体の流速が速くなり、含塵気体Ｄは、連結部３において、吸入側水槽部５の水を巻き上げて霧化しながらその連結部３を通過する。この霧化により、含塵気体Ｄに含まれる粉塵を効率的に吸湿する。
【００４３】
この連結部３は、その通路内壁の湾曲面でもって屈曲する複数の屈曲部１３を有しており、その複数の屈曲部１３同士が、装置の前記軸方向に直交する断面において、それぞれ相反する方向へ屈曲する関係にあって連続し、連結部３は、Ｓ字状の通路を形成している。このため、前記含塵気体Ｄが前記湾曲面に沿って誘導され、連結部３内で渦のように回転するので、気体の流速を落とすことがなく、水の巻き上げが行われやすい。
【００４４】
前記のように吸湿した粉塵が、前記連結部３内及び排出室４内において、湿気の吸着による作用や、あるいはその粉塵が相互に付着するなどして次第に重量が増大し、その重量増により粉塵が落下するとともに、また、気体が図１の矢印ｃのように上昇するまでの間に、その粉塵が、前記屈曲部１３やフィン１４等に当たるなどして気体から分離され、水槽部５，６に落下して集塵される。このようにして集塵処理された気体Ｃは、前記排出口１５から外部へ排出され、その粉塵を含んだ前記水槽部５，６の水は下方のコック（図示せず）を開放して回収される。
【００４５】
この気体の排出状態では、特に装置の始動時においてブロアＢを起動して排出室４に急激な負圧をかけた際や、集塵処理量を上げるためブロアＢによる排出量を上げた際に、前記排出側水槽部６の水位が不安定な状態となり、水面が波打って急激な上昇、低下を一定時間継続する場合が多い。このため、その水位が、図２（ｃ）に示す前記所定値以上に上がることがある。
【００４６】
この場合、前記水位制御部１０の前記オーバーフローの機能により、排出側水槽部６の水位上昇を規制するので、排出側水槽部６の水が連結部３の出口３ｂから連結部３内に入らない。
【００４７】
また、このオーバーフローにより、通水管１１を介して吸入側水槽部５の水が水位制御部１０から排水されて、前記吸入側水槽部５の水位は順次低下する。このとき、その吸入側水槽部５の水位が、図２（ｃ）に示す前記通水管１１先端高さより上方にあれば、吸入側水槽部５の水が通水管１１内に流れ込み、前記水位が、前記通水管１１先端高さにまで低下すると、その後は、図２（ｄ）に示すように、通水管１１内の水位のみが下がり、吸入側水槽部５の水位は前記通水管１１先端の位置で維持される。
【００４８】
このようにすれば、圧力変動に伴う吸入側水槽部５の水位が早期に前記所定位置（前記入口３ａの下面付近）に安定し、集塵性能が早期に安定する。また、装置の起動後、又は排出量変更後、前記吸入側水槽部５の水位が所定の位置に安定するまでの時間が短いため、水位制御部１０からの排水量が少なくなり、汚水の処理量を削減できる。
【００４９】
なお、図１に示すように、吸入側水槽部５または排出側水槽部６には、水槽内に水を補給するための供給管１６が挿入されているので、吸入側水槽部５の水位が所定位置よりも低下すれば、その水位を回復するために、適宜水が補給される。上記のように、水位制御部１０からの排水量が少なくなれば、この供給管１６からの水の補給量も少なくなり、コストダウンが可能である。
【００５０】
さらに、図２ｄに示すように、通水管１１内の水位が前記先端位置から低下した状態において、吸入側水槽部５の水位は、なお前記所定位置に維持されているので、この状態においても安定した集塵処理を続けることができる。このため、図２ｄの差圧ｈに示すように、通水管１１を吸入側水槽部５に連通させずに、溢流槽９と排出側水槽部６とを連通した従来例の差圧ｇと比較して、排出室４と吸入室２との差圧を大きくできるので、ブロアＢの風量アップによる排出量向上が可能である。
【００５１】
なお、上記の実施形態では、吸入室２の両側に連結部３を設けて排出室４と接続したが、この実施形態には限定されず、連結部３を片側のみに設けた構成も採用し得る。また、吸入室２及び排出室４を構成する前記胴部４ａの前記軸方向長さ（図４のＬ）は集塵容量に応じて自由に設定可能であり、連結部３は、この実施形態のように、前記軸方向にその全長にわたって連続的に設けてもよいし、部分的、断続的に設けてもよい。
【００５２】
さらに、前記吸入室２を、隔壁Ｗを介して排出室４内に設けた上記ロートクロン型集塵装置の構成において、その吸入室２が隔壁Ｗを介して両側、両端の４面、あるいは３面で排出室４に隣接するような態様とすれば、前記連結部３を吸入室２の一端又は両端にも設けることができる。
【００５３】
また、このロートクロン型集塵装置以外の態様も考えられ、例えば、吸入室２と排出室４を別々に設けるようにした構成も採用し得る。この場合は、別々の躯体からなる吸入室２と排出室４とを並設し、前記吸入室２と排出室４とを前記連結部３で接続し、吸入側水槽部５と排出側水槽部６を連通管で繋げばよい。このようにすれば、装置が簡略化できる。
【００５４】
また、いずれの態様においても、前記連結部３の屈曲部１３の形状や、排出室４内のフィン１４の形状は、それぞれ、前述の水の巻き上げ、霧化、及び集塵等のうち必要な機能を有する限りにおいて自由であり、この実施形態の形状には限定されない。
【００５５】
【発明の効果】
この発明は、以上のように、排出側水槽部の水位上昇を規制する溢流槽と、吸入側水槽部とを通水管で連通したので、排出量を増やすことにより、通水管の水位が下がり、吸入側水槽部の水位を霧化に適切な位置に維持し得る。このため、集塵性能を維持したまま排出量を増やして、集塵容量を向上できる。また、圧力変動に伴う水位の変動が早期に安定するので、間歇運転、排出量調整が可能となり効率的に集塵でき、また、排水量、給水量を少なくできる。
【図面の簡単な説明】
【図１】一実施形態の切断正面図
【図２ａ】同実施形態の水位変動を示す説明図
【図２ｂ】同実施形態の水位変動を示す説明図
【図２ｃ】同実施形態の水位変動を示す説明図
【図２ｄ】同実施形態の水位変動を示す説明図
【図３】従来例の全体図
【図４】従来例の側面図
【図５】従来例の水位変動を示す説明図
【図６】従来例の水位変動を示す説明図
【符号の説明】
１，２０  湿式集塵装置
２  吸入室
３  連結部
３ａ  連結部入口
３ｂ  連結部出口
４  排出室
４ａ  胴部
４ｂ  妻部
５  吸入側水槽部
６  排出側水槽部
７ａ  ダクト
７ｂ  排出装置
８  制御室
９  溢流槽
１０  水位制御部
１０ａ  排水管
１１  通水管
１２  導入口
１３  屈曲部
１４  フィン
１５  排出口
１６  供給管
Ｂ  ブロア
Ｃ  集塵処理気体
Ｄ  含塵気体
【図１】
2004305866.tif 000003
【図２ａ】
2004305866.tif 000004
【図２ｂ】
2004305866.tif 000005
【図２ｃ】
2004305866.tif 000006
【図２ｄ】
2004305866.tif 000007
【図３】
2004305866.tif 000008
【図４】
2004305866.tif 000009
【図５】
2004305866.tif 000010
【図６】
2004305866.tif 000011